(57)【要約】【課題】コンテンツ記録先媒体を選択する際のユーザビリティを向上させること。【解決手段】この情報記録システムでは、所望のコンテンツＣｆについて保護の要否を表わす保護情報Ｐｒｏをサーバから事前に取得し（Ｓ１）、保護の要否に応じて、装着されている記録媒体、或いは、更に固有の媒体ＩＤを持つ記録媒体を調べ、コンテンツ記録先となる記録媒体ＭＤを決定する（Ｓ２）。ここで、記録先が複数ある場合は優先度情報或いはユーザ選択操作に従って記録先媒体ＭＤを決定する。当該コンテンツＣｆをサーバから取得すると（Ｓ４）、このコンテンツＣｆが保護を要する保護コンテンツＣｆａのときは（Ｓ５→ＹＥＳ）、記録先媒体ＭＤに固有の媒体ＩＤで暗号化し（Ｓ７）、暗号化されたコンテンツＣｆａ’を記録先媒体ＭＤに記録する（Ｓ８）。また、保護を要しないフリーコンテンツＣｆｂのときには（Ｓ５→ＮＯ）、そのまま、記録先媒体ＭＤに記録する。【選択図】図２
2006254244.tif 000002
【特許請求の範囲】
【請求項１】
サーバから提供されるコンテンツデータが保護されるべきであるか否かを表わす保護情報を上記サーバから取得する情報取得手段と、
上記情報取得手段により取得された保護情報から、上記コンテンツデータが保護されるべきであるか否かを判断する保護判断手段と、
上記保護判断手段により上記コンテンツデータが保護されるべきであると判断された場合、この情報記録装置に装着された記録媒体に固有のＩＤが付いているかどうかを判定するＩＤ判定手段と、
上記ＩＤ判定手段により固有のＩＤが付いていると判断された記録媒体をコンテンツ記録先に決定する記録先決定手段と、
上記コンテンツデータを上記サーバから取得するデータ取得手段と、
上記データ取得手段により取得されたコンテンツデータが保護されるべきコンテンツデータである場合、当該コンテンツデータを上記固有ＩＤで暗号化する暗号化手段と、
上記暗号化手段により暗号化されたコンテンツデータを、上記記録先決定手段によりコンテンツ記録先に決定された記録媒体に記録するデータ記録手段と
を具備することを特徴とする情報記録装置。
【請求項２】
さらに、この情報記録装置に装着可能な複数の記録媒体に関する優先度情報を保持する優先度保持手段を具備し、
前記記録先決定手段は上記優先度情報に従って前記コンテンツ記録先を決定する
ことを特徴とする請求項１に記載の情報記録装置。
【請求項３】
サーバから提供されるコンテンツデータが保護されるべきであるか否かを表わす保護情報を上記サーバから取得する情報取得手段と、
上記情報取得手段により取得された保護情報から、上記コンテンツデータが保護されるべきであるか否かを判断する保護判断手段と、
上記保護判断手段により上記コンテンツデータが保護されるべきであると判断された場合、この情報記録装置に装着された記録媒体に固有のＩＤが付いているかどうかを判定するＩＤ判定手段と、
上記ＩＤ判定手段により固有のＩＤが付いていると判断された記録媒体の情報を提示する情報提示手段と、
この情報提示に対するユーザ操作に応じて、コンテンツ記録先となる記録媒体を決定する記録先決定手段と、
上記コンテンツデータを上記サーバから取得するデータ取得手段と、
上記データ取得手段により取得されたコンテンツデータが保護されるべきコンテンツデータである場合、当該コンテンツデータを上記固有ＩＤで暗号化する暗号化手段と、
上記暗号化手段により暗号化されたコンテンツデータを、上記記録先決定手段によりコンテンツ記録先に決定された記録媒体に記録するデータ記録手段と
を具備することを特徴とする情報記録装置。
【請求項４】
サーバから提供されるコンテンツデータが保護されるべきであるか否かを表わす保護情報を上記サーバから取得する情報取得ステップと、
上記情報取得ステップで取得された保護情報から、上記コンテンツデータが保護されるべきであるか否かを判断する保護判断ステップと、
上記保護判断ステップで上記コンテンツデータが保護されるべきであると判断された場合、コンピュータに装着された記録媒体に固有のＩＤが付いているかどうかを判定するＩＤ判定ステップと、
上記ＩＤ判定ステップで固有のＩＤが付いていると判断された記録媒体をコンテンツ記録先に決定する記録先決定ステップと、
上記コンテンツデータを上記サーバから取得するデータ取得ステップと、
上記データ取得ステップで取得されたコンテンツデータが保護されるべきコンテンツデータである場合、当該コンテンツデータを上記固有ＩＤで暗号化する暗号化ステップと、
上記暗号化ステップで暗号化されたコンテンツデータを、上記記録先決定ステップでコンテンツ記録先に決定された記録媒体に記録するデータ記録ステップと
から成る手順をコンピュータに実行させる情報記録プログラム。
【請求項５】
サーバから提供されるコンテンツデータが保護されるべきであるか否かを表わす保護情報を上記サーバから取得する情報取得ステップと、
上記情報取得ステップで取得された保護情報から、上記コンテンツデータが保護されるべきであるか否かを判断する保護判断ステップと、
上記保護判断ステップで上記コンテンツデータが保護されるべきであると判断された場合、コンピュータに装着された記録媒体に固有のＩＤが付いているかどうかを判定するＩＤ判定ステップと、
上記ＩＤ判定ステップで固有のＩＤが付いていると判断された記録媒体の情報を提示する情報提示ステップと、
この情報提示に対するユーザ操作に応じて、コンテンツ記録先となる記録媒体を決定する記録先決定ステップと、
上記コンテンツデータを上記サーバから取得するデータ取得ステップと、
上記データ取得ステップで取得されたコンテンツデータが保護されるべきコンテンツデータである場合、当該コンテンツデータを上記固有ＩＤで暗号化する暗号化ステップと、
上記暗号化ステップで暗号化されたコンテンツデータを、上記記録先決定ステップでコンテンツ記録先に決定された記録媒体に記録するデータ記録ステップと
から成る手順をコンピュータに実行させる情報記録プログラム。
【発明の詳細な説明】
【技術分野】
【０００１】
この発明は、サーバから通信ネットワークを通じて提供されるコンテンツデータを適切な記録媒体に記録するための情報記録システムに関する。
【背景技術】
【０００２】
従来より、例えば、特許文献１に開示されるように、音楽や画像などのデジタルコンテンツをサーバから通信ネットワークを通じてダウンロードし記録媒体（メディア）に記録する際、著作権保護の必要があれば、記録媒体のＩＤを使ってコンテンツを暗号化して記録する技術が既知になっている。
【特許文献１】特開２００４−４６４５２号公報
【０００３】
このような従来技術による情報記録装置では、保護の必要なコンテンツデータはＩＤ付きの記録媒体にのみ記録可能であり、記録先となり得る記録媒体は制限される。つまり、ダウンロードされたコンテンツデータがプロテクトされている場合には、当該ダウンロードデータを保存することができる記録媒体は、例えば、ＩＤ付きのスマートメディア〔登録商標〕、ＩＤ付きのフラッシュメモリ或いは端末（電子楽器など）内蔵メモリなどに限定される。
【０００４】
また、従来の情報記録装置には、記録媒体がＩＤ付きかどうかに拘わらず、著作権保護すべきコンテンツデータの記録を試みるものがあり、記録媒体にＩＤが付いていない場合に当該コンテンツデータの記録処理を中止していた。
【発明の開示】
【発明が解決しようとする課題】
【０００５】
この発明は、このような事情に鑑み、特に、プロテクトされるべきコンテンツデータについて、コンテンツ記録先媒体を選択する際のユーザビリティ（使い易さ）を向上させることができる情報記録システムを提供することを目的とする。
【課題を解決するための手段】
【０００６】
この発明の１つの特徴に従うと、サーバ（ＳＶ）から提供されるコンテンツデータ（Ｃｆ）が保護されるべきであるか否かを表わす保護情報（Ｐｒｏ）をサーバ（ＳＶ）から取得する情報取得手段（Ｓ１）と、情報取得手段（Ｓ１）により取得された保護情報（Ｐｒｏ）から、コンテンツデータ（Ｃｆ）が保護されるべきであるか否かを判断する保護判断手段（Ｓ２；Ａ４）と、保護判断手段（Ａ４）によりコンテンツデータ（Ｃｆ）が保護されるべきであると判断された場合（Ａ４→ＹＥＳ）、この情報記録装置（ＣＲ）に装着された記録媒体（ＭＤ）に固有のＩＤが付いているかどうかを判定するＩＤ判定手段（Ｓ２；Ａ５）と、ＩＤ判定手段（Ａ５）により固有のＩＤが付いていると判断された記録媒体（ＭＤ）をコンテンツ記録先に決定する記録先決定手段（Ｓ２；Ａ６）と、コンテンツデータ（Ｃｆ）をサーバ（ＳＶ）から取得するデータ取得手段（Ｓ４）と、データ取得手段（Ｓ４）により取得されたコンテンツデータ（Ｃｆ）が保護されるべきコンテンツデータ（Ｃｆａ）である場合（Ｓ５→ＹＥＳ）、当該コンテンツデータ（Ｃｆａ）を固有ＩＤで暗号化する暗号化手段（Ｓ７）と、暗号化手段（Ｓ７）により暗号化されたコンテンツデータ（Ｃｆａ’）を、記録先決定手段（Ａ６）によりコンテンツ記録先に決定された記録媒体（ＭＤ）に記録するデータ記録手段（Ｓ８）とを具備する情報記録装置（ＣＲ；コンピュータ、電子音楽装置）〔請求項１〕が提供され、サーバ（ＳＶ）から提供されるコンテンツデータ（Ｃｆ）が保護されるべきであるか否かを表わす保護情報（Ｐｒｏ）をサーバ（ＳＶ）から取得する情報取得ステップ（Ｓ１）と、情報取得ステップ（Ｓ１）で取得された保護情報（Ｐｒｏ）から、コンテンツデータ（Ｃｆ）が保護されるべきであるか否かを判断する保護判断ステップ（Ｓ２；Ａ４）と、保護判断ステップ（Ａ４）でコンテンツデータ（Ｃｆ）が保護されるべきであると判断された場合（Ａ４→ＹＥＳ）、コンピュータ（ＣＲ）に装着された記録媒体（ＭＤ）に固有のＩＤが付いているかどうかを判定するＩＤ判定ステップ（Ｓ２；Ａ５）と、ＩＤ判定ステップ（Ａ５）で固有のＩＤが付いていると判断された記録媒体（ＭＤ）をコンテンツ記録先に決定する記録先決定ステップ（Ｓ２；Ａ６）と、コンテンツデータ（Ｃｆ）をサーバ（ＳＶ）から取得するデータ取得ステップ（Ｓ４）と、データ取得ステップ（Ｓ４）で取得されたコンテンツデータ（Ｃｆ）が保護されるべきコンテンツデータ（Ｃｆａ）である場合（Ｓ５→ＹＥＳ）、当該コンテンツデータ（Ｃｆａ）を固有ＩＤで暗号化する暗号化ステップ（Ｓ７）と、暗号化ステップ（Ｓ７）で暗号化されたコンテンツデータ（Ｃｆａ’）を、記録先決定ステップ（Ａ６）でコンテンツ記録先に決定された記録媒体（ＭＤ）に記録するデータ記録ステップ（Ｓ８）とから成る手順をコンピュータ（ＣＲ；情報記録装置、電子音楽装置）に実行させる情報記録プログラム〔請求項４〕が提供される。なお、括弧書きは、理解の便のために付記した実施例の対応する参照記号等を表わす。
【０００７】
また、この特徴に従う情報記録装置（ＣＲ）は、さらに、この情報記録装置（ＣＲ）に装着可能な複数の記録媒体（ＭＤ）に関する優先度情報（Ｐｒｉ）を保持する優先度保持手段（３，４）を具備し、記録先決定手段（Ａ６）は優先度情報（Ｐｒｉ）に従ってコンテンツ記録先を決定する〔請求項２〕ように構成することができる。
【０００８】
この発明の別の特徴に従うと、サーバ（ＳＶ）から提供されるコンテンツデータ（Ｃｆ）が保護されるべきであるか否かを表わす保護情報（Ｐｒｏ）をサーバ（ＳＶ）から取得する情報取得手段（Ｓ１）と、情報取得手段（Ｓ１）により取得された保護情報（Ｐｒｏ）から、コンテンツデータ（Ｃｆ）が保護されるべきであるか否かを判断する保護判断手段（Ｓ２；Ｕ５）と、保護判断手段（Ｕ５）によりコンテンツデータ（Ｃｆ）が保護されるべきであると判断された場合（Ｕ５→ＹＥＳ）、この情報記録装置（ＣＲ）に装着された記録媒体（ＭＤ）に固有のＩＤが付いているかどうかを判定するＩＤ判定手段（Ｓ２；Ｕ６）と、ＩＤ判定手段（Ｕ６）により固有のＩＤが付いていると判断された記録媒体（ＭＤ）の情報（Ｌｓ）を提示する情報提示手段（Ｓ２；Ｕ９）と、この情報提示（Ｌｓ）に対するユーザ操作に応じて、コンテンツ記録先となる記録媒体（ＭＤ）を決定する記録先決定手段（Ｓ２；Ｕ１０）と、コンテンツデータ（Ｃｆ）をサーバ（ＳＶ）から取得するデータ取得手段（Ｓ４）と、データ取得手段（Ｓ４）により取得されたコンテンツデータ（Ｃｆ）が保護されるべきコンテンツデータ（Ｃｆａ）である場合（Ｓ５→ＹＥＳ）、当該コンテンツデータ（Ｃｆ）を固有ＩＤで暗号化する暗号化手段（Ｓ７）と、暗号化手段（Ｓ７）により暗号化されたコンテンツデータ（Ｃｆａ’）を、記録先決定手段によりコンテンツ記録先に決定された記録媒体（ＭＤ）に記録するデータ記録手段（Ｓ８）とを具備する情報記録装置（ＣＲ；コンピュータ、電子音楽装置）〔請求項３〕が提供され、サーバ（ＳＶ）から提供されるコンテンツデータ（Ｃｆ）が保護されるべきであるか否かを表わす保護情報（Ｐｒｏ）をサーバ（ＳＶ）から取得する情報取得ステップ（Ｓ１）と、情報取得ステップ（Ｓ１）で取得された保護情報（Ｐｒｏ）から、コンテンツデータ（Ｃｆ）が保護されるべきであるか否かを判断する保護判断ステップ（Ｓ２；Ｕ５）と、保護判断ステップ（Ｕ５）でコンテンツデータ（Ｃｆ）が保護されるべきであると判断された場合（Ｕ５→ＹＥＳ）、コンピュータ（ＣＲ）に装着された記録媒体（ＭＤ）に固有のＩＤが付いているかどうかを判定するＩＤ判定ステップ（Ｓ２；Ｕ６）と、ＩＤ判定ステップ（Ｕ６）で固有のＩＤが付いていると判断された記録媒体（ＭＤ）の情報（Ｌｓ）を提示する情報提示ステップ（Ｓ２；Ｕ９）と、この情報提示（Ｌｓ）に対するユーザ操作に応じて、コンテンツ記録先となる記録媒体（ＭＤ）を決定する記録先決定ステップ（Ｓ２；Ｕ１０）と、コンテンツデータ（Ｃｆ）をサーバ（ＳＶ）から取得するデータ取得ステップ（Ｓ４）と、データ取得ステップ（Ｓ４）で取得されたコンテンツデータ（Ｃｆ）が保護されるべきコンテンツデータ（Ｃｆａ）である場合（Ｓ５→ＹＥＳ）、当該コンテンツデータ（Ｃｆａ）を固有ＩＤで暗号化する暗号化ステップ（Ｓ７）と、暗号化ステップ（Ｓ７）で暗号化されたコンテンツデータ（Ｃｆａ’）を、記録先決定ステップ（Ｕ１０）でコンテンツ記録先に決定された記録媒体（ＭＤ）に記録するデータ記録ステップ（Ｓ８）とから成る手順をコンピュータ（ＣＲ；情報記録装置、電子音楽装置）に実行させる情報記録プログラム〔請求項５〕が提供される。
【発明の効果】
【０００９】
この発明による情報記録システムでは、サーバ（ＳＶ）から提供される所望のコンテンツデータ（Ｃｆ）を取得する（Ｓ４）のに先立って、このコンテンツデータ（Ｃｆ）が保護されるべきかを表わす保護情報（Ｐｒｏ）をサーバ（ＳＶ）から取得する（Ｓ１）。取得された保護情報（Ｐｒｏ）から当該コンテンツデータ（Ｃｆ）が保護されるべきデータであると判断した場合は（Ａ４→ＹＥＳ）、情報記録装置（ＣＲ）に装着された記録媒体（ＭＤ）が固有のＩＤを有しているかを調べて（Ａ５）、記録可能な固有ＩＤ付き記録媒体（ＭＤ）をコンテンツ記録先として自動的に決定する（Ｓ２；Ａ６）。そして、その後（Ｓ４）取得されたコンテンツデータ（Ｃｆ）が保護されるべきコンテンツデータ（Ｃｆａ）である場合（Ｓ５→ＹＥＳ）、コンテンツ記録先の記録媒体（ＭＤ）に付いている固有ＩＤを使ってこのコンテンツデータ（Ｃｆａ）を暗号化し（Ｓ７）、暗号化されたコンテンツデータ（Ｃｆａ’）を当該固有ＩＤ付き記録媒体（ＭＤ）に記録する（Ｓ８）。
【００１０】
この発明によると、このように、サーバからコンテンツデータの配信を受ける際に、併せて、プロテクトの要否を示す保護情報の送信を受け、プロテクトの必要がある場合は、そのときに装着されている記録媒体の固有ＩＤからコンテンツデータの記録先を自動選択するようにしているので、著作権保護の必要に応じて、プロテクトされるべきコンテンツデータが記録される記録媒体を適切かつ簡単に選択することができる。
【００１１】
この発明においては、情報記録装置（ＣＲ）に装着可能な複数の記録媒体（ＭＤ）或いはそのインターフェース部（５；５Ａ〜５Ｄ）について、記録先としての優先順位を表わす優先度情報（Ｐｒｉ）を記憶手段（３，４）に保持しておき、記録先の候補が複数あったときには優先度情報（Ｐｒｉ）の優先順位に従ってコンテンツの記録先を決定するように構成することにより、複数の固有ＩＤ付き記録媒体が装着される場合に、所定の優先度に応じて最適な記録媒体をコンテンツ記録先として設定することができる。
【００１２】
また、この発明による情報記録システムでは、コンテンツデータ（Ｃｆ）の提供に先立って取得された保護情報（Ｐｒｏ）から当該コンテンツデータ（Ｃｆ）が保護されるべきデータであると判断した場合は（Ｕ５→ＹＥＳ）、情報記録装置（ＣＲ）に装着された記録媒体（ＭＤ）から記録可能な固有ＩＤ付き記録媒体（ＭＤ）を抽出し（Ｕ６，Ｕ７）、抽出された固有ＩＤ付き記録媒体（ＭＤ）の情報（Ｌｓ）をユーザに提示してコンテンツ記録先を選択させる（Ｓ２；Ｕ９，Ｕ１０）。従って、この発明によれば、著作権保護の必要なコンテンツデータが記録される記録媒体をユーザの希望に応じて適切かつ簡単に選択することができる。
【発明を実施するための最良の形態】
【００１３】
〔システムの概要〕
図１は、この発明の一実施例による情報記録システムのハードウエア構成ブロック図を示す。この情報記録システムの主体をなす情報記録装置（単に「記録装置」ともいう）ＲＣは、通信機能を有する一種のコンピュータであり、この例では、更に情報再生機能及び音楽情報処理機能を有する電子音楽装置が用いられる。この情報記録装置ＲＣは、中央処理装置（ＣＰＵ）１、ランダムアクセスメモリ（ＲＡＭ）２、読出専用メモリ（ＲＯＭ）３、ハードディスクドライブ（ＨＤＤ）４、外部記録インターフェース（Ｉ／Ｆ）５、設定操作（パネル）検出回路６、表示回路７、通信インターフェース（Ｉ／Ｆ）８、演奏操作検出回路９、音源回路１０、効果回路１１、ＭＩＤＩインターフェース（Ｉ／Ｆ）１２などを備え、これらの要素１〜１２はバス１３を介して互いに接続される。
【００１４】
ＣＰＵ１は、所定の制御プログラムに従い、タイマ１４によるクロックを利用して「コンテンツ記録処理」と呼ばれる情報記録処理などの各種処理を実行する。ＲＡＭ２は、これらの処理に際して必要な各種データを一時記憶するためのワーク領域として用いられ、例えば、サーバ装置ＳＶから提供される保護情報ＰｒｏやコンテンツＣｆ、記録先決定に用いられる記録先媒体リストＬｓなどを一時的に保持するための領域が確保される。また、ＲＯＭ３には、これらの処理を実行するために必要な各種制御プログラムや制御データ等が記憶されており、制御データには、例えば、コンテンツ記録処理において保護の必要なデータが記録される記録媒体（ＭＤ）の優先順位を表わす優先度情報Ｐｒｉがある。
【００１５】
ＨＤＤ４は、内蔵記憶媒体として用いられるハードディスク（ＨＤ）を駆動する記録装置ＲＣに内蔵の外部記憶装置として機能する。このＨＤには、必要な制御プログラムやデータを保存することができ、例えば、ユーザにより編集された優先度情報Ｐｒｉを記憶しておくこともできる。
【００１６】
外部記録Ｉ／Ｆ５は、スマートメディア〔登録商標〕、ＵＳＢメモリ、ＭＯ、リムーバブルＨＤ、ディジタル多目的ディスク（ＤＶＤ）類、コンパクトディスク（ＣＤ）類、フレキシブルディスク（ＦＤ）、等々、種々の外部記録媒体（メディア）ＭＤが装着されるインターフェース部であり、複数の外部記録Ｉ／Ｆ５Ａ〜５Ｄを備える。図では、これらの外部記録Ｉ／Ｆ５Ａ〜５Ｄに夫々装着される記録媒体（単に「媒体」ともいう）が共通の参照記号“ＭＤ”で簡略的に表わされている。各記録媒体ＭＤに記憶されたデータは、この情報記録装置ＲＣで再生することができ、また、別の情報再生装置ＰＬにおいて再生することもできる。
【００１７】
これらの記録媒体ＭＤは、以下に説明する例では、スマートメディア、第１ＵＳＢメモリ、第２ＵＳＢメモリ及びＦＤとし、スマートメディアと第１及び第２ＵＳＢメモリは、夫々に固有の記録媒体ＩＤ（単に「媒体ＩＤ」ともいう）を有し、夫々の媒体ＩＤを予め記録しているものとする。また、これら４つの記録媒体ＭＤに対応して、上述したように、外部記録Ｉ／Ｆ５Ａ〜５Ｄが設けられているものとする。
【００１８】
すなわち、第１外部記録Ｉ／Ｆ５Ａをスマートメディアの装着が可能なスロットとし、第２外部記録Ｉ／Ｆ５Ｂを第１ＵＳＢメモリが接続可能な第１ＵＳＢ端子とし、第３外部記録Ｉ／Ｆ５Ｃを第２ＵＳＢメモリが接続可能な第２ＵＳＢ端子とし、第４外部記録Ｉ／Ｆ５ＤをＦＤ駆動用のフレキシブルディスクドライブ（ＦＤＤ）とすることができる。また、各記録媒体ＭＤには、優先度情報Ｐｒｉに従って、例えば、（１）スマートメディア、（２）第１ＵＳＢメモリ、（３）第２ＵＳＢメモリ、（４）ＦＤの順で、記録先に関する優先順位が指定される。
【００１９】
設定操作検出回路６は、パネル検出回路とも呼ばれ、キースイッチやマウス等の設定操作子（パネル操作子）１５の設定操作内容を検出して対応する設定情報をシステム本体に導入する。表示回路７は、ＬＣＤ等のディスプレイ１６や各種インジケータ（図示せず）を備え、これらの表示／点灯内容をＣＰＵ１からの指令に従って制御し、設定操作子１５の操作に対する表示援助を行う。表示回路７は、また、ＨＤＤ４や外部記録Ｉ／Ｆ５からの画像データに従った再生映像をディスプレイ１６上に表示することもできる。
【００２０】
通信Ｉ／Ｆ８には、インターネットなどの通信ネットワークＣＮが接続され、外部のサーバ装置ＳＶから、制御プログラムや、保護情報Ｐｒｏを含む制御データ、各種コンテンツデータＣｆを受信し、必要に応じて、ＨＤＤ４や、外部記録Ｉ／Ｆ５に接続される記録媒体ＭＤに保存することができる。
【００２１】
演奏操作検出回路９は、演奏鍵盤などの演奏操作子１７の演奏操作内容を検出し、対応する演奏情報をシステム本体に導入する。音源回路１０及び効果付与ＤＳＰを有する効果回路（ソフトウエアを含む）１１は、演奏操作子１７からの演奏情報やＨＤＤ４や外部記録Ｉ／Ｆ５からの音楽データに基づく楽音信号を生成する。サウンドシステム１８は、Ｄ／Ａ変換部やアンプ、スピーカを備え、効果回路１１からの楽音信号に基づく楽音を発生し、演奏情報による演奏楽音や音楽データに従った再生楽音を放音することができる。また、ＭＩＤＩＩ／Ｆ１２には他のＭＩＤＩ音楽機器ＥＤが接続され、他の音楽機器ＥＤとの間で、ＭＩＤＩ音楽データを授受し、この情報記録装置ＲＣで利用することができる。
【００２２】
なお、情報記録装置ＲＣには、必ずしも、音楽情報処理機能や情報再生機能を有する必要はなく、演奏操作検出回路９及び演奏操作子１７から成る演奏操作部や、音源回路１０・効果回路１１・サウンドシステム１８から成る楽音発生部、ＭＩＤＩＩ／Ｆ１２等は備えていなくてもよい。
【００２３】
また、サーバ装置（単に「サーバ」ともいう）ＳＶは、一般的なパーソナルコンピュータと同じハードウエア構成を有し、情報記録装置ＲＣと同様に、ＣＰＵ、ＲＡＭ、ＲＯＭ、外部記憶装置（ＨＤＤなど）、入力操作部（キーボードやマウス等の操作子及びその検出回路）、表示出力部（ディスプレイ及び表示回路）などを備え、通信Ｉ／Ｆを介して通信ネットワークＣＮに接続される。また、サーバＳＶの外部記憶装置は、ＭＩＤＩ形式或いはオーディオ信号形式の音楽データや、画像データ等々、種々のコンテンツデータＣｆを蓄積しており、コンテンツ配信サイトとして機能する。
【００２４】
さらに、情報再生装置（単に「再生装置」ともいう）ＰＬは、記録媒体ＭＤに記録されたデータを再生するのに用いられる。なお、情報再生装置ＰＬのハードウエア構成については、情報記録装置ＲＣと同様に構成することができるが、必ずしも、通信Ｉ／Ｆ１２を備えなくてもよい。
【００２５】
〔コンテンツ記録の概要〕
この発明の一実施例による情報記録システムにおいては、サーバ装置から提供されるコンテンツデータの取得に先立って取得した保護情報から、当該コンテンツデータを保護されるべきかどうかを判断し、保護されるべき場合には、固有の記録媒体ＩＤが付いている記録媒体をコンテンツデータの記録先として自動選択し、記録先媒体の固有ＩＤを使ってコンテンツデータを暗号化し、暗号化されたコンテンツデータを当該記録先媒体に記録することができる。図２は、この発明の一実施例による情報記録システムにおけるコンテンツ記録の概念図及び処理フローを表わす図である。
【００２６】
この発明の一実施例による情報記録システムでは、図２（１）の概念図に示すように、サーバ装置ＳＶから２種類のコンテンツデータＣｆをダウンロードすることができる。１つは、「保護コンテンツ」と呼ばれる第１のコンテンツファイルＣｆａであり、第１のコンテンツファイルＣｆａは共通鍵で暗号化されたコンテンツデータを含んでいる。また、他の１つは、「フリーコンテンツ」と呼ばれる第２のコンテンツファイルＣｆｂであり、第２のコンテンツファイルＣｆｂに含まれるコンテンツデータは暗号化されていない。
【００２７】
情報記録装置ＲＣは、サーバ装置ＳＶからこれらのコンテンツファイルＣｆａ，Ｃｆｂを受信すると、記録処理機能部ＲＰにより、コンテンツ受信に先立って受信した保護情報Ｐｒｏに従って所定の記録処理を実行し、外部記録Ｉ／Ｆ５を通じて所定の記録媒体ＭＤに記録することができる。記録媒体ＭＤは、例えば、スマートメディアと呼ばれる小型メモリカードであり、当該記録媒体ＭＤに固有の媒体ＩＤが予め記録されている。
【００２８】
第１のコンテンツファイル即ち保護コンテンツＣｆａは、保護を要するデータであり、共通鍵を使って暗号化されている。ここで、共通鍵とは、記録媒体ＭＤに依存しない鍵であるが、一般には知られておらず、特定の記録装置（例えば、この情報記録装置ＲＣ）とサーバ装置ＳＶのみが知っているものである。情報記録装置ＲＣにダウンロードされたコンテンツが保護情報Ｐｒｏにより保護コンテンツＣｆａであることが分かると、当該保護コンテンツＣｆａは、記録処理機能部ＲＰによって、共通鍵を使って復号化され、更に、記録先となる記録媒体（記録先媒体）ＭＤの媒体ＩＤを鍵として暗号化される。そして、暗号化された保護コンテンツＣｆａ’が当該記録先媒体ＭＤに記録される。
【００２９】
従って、保護コンテンツＣｆａ’が記録された記録媒体ＭＤは、この情報記録装置ＲＣの対応する外部記録Ｉ／Ｆ５或いは別の情報再生装置ＰＬの外部記録Ｉ／Ｆに装着し、保護コンテンツＣｆａ’を当該記録媒体ＭＤの媒体ＩＤ鍵で復号化することによって再生することができる。しかしながら、記録媒体ＭＤ上の保護コンテンツＣｆａ’は、元の記録媒体ＭＤの媒体ＩＤで暗号化されているので、他の記録媒体にコピーすることができないか、或いは、コピーすることができてもコピーされたデータは情報記録装置ＲＣや情報再生装置ＰＬで再生することはできないので、著作権が保護される。
【００３０】
これに対して、第２のコンテンツファイル即ちフリーコンテンツＣｆｂは、保護を要しないデータであり、暗号化されていない。情報記録装置ＲＣにダウンロードされたコンテンツが保護情報ＰｒｏによりフリーコンテンツＣｆｂであることが分かると、当該フリーコンテンツＣｆｂは、そのまま、所定の記録媒体ＭＤに記録される。なお、フリーコンテンツＣｆｂは暗号化する必要がないものであるが、ダウンロード時におけるサーバ装置ＳＶのコンテンツ配信サイトと情報記録装置（電子音楽装置）ＲＣとのやり取りの手順を共通化することができるという理由から、保護コンテンツＣｆａと同様に暗号化しておき、ダウンロード後に記録処理機能部ＲＰによって復号化するようにしてもよい。
【００３１】
コンテンツが記録される記録媒体ＭＤには、上述したスマートメディアの外に、ＵＳＢメモリ、ＭＯ、リムーバブルＨＤ、ＤＶＤ、ＣＤ、ＤＶＤ、ＦＤなどを用いることができ、このうち、記録媒体ＭＤ自身に媒体ＩＤが付いていれば、暗号化された保護コンテンツＣｆａ’を、そこに書き込むことができる。この情報記録装置ＲＣでは、媒体ＩＤ付き記録媒体ＭＤの代表例として、スマートメディアやＵＳＢメモリが用いられる。
【００３２】
図２（２）は、情報記録装置ＲＣの記録処理機能部ＲＰによるコンテンツ記録処理を表わすフローチャートである。この処理フローは、情報記録装置ＲＣにおいてダウンロードすべきコンテンツファイルが決定され、サーバ装置ＳＶに対して、配信を受けたいデータとして当該コンテンツファイルが指定された後に開始される。
【００３３】
このコンテンツ受信及び記録処理が開始すると、最初のステップＳ１において、サーバ装置ＳＶから通信ネットワークＣＮ及び通信Ｉ／Ｆ８を通じ、指定されたコンテンツファイルの保護に関する保護情報Ｐｒｏが小さなファイル（メタファイル）として情報記録装置ＲＣに送られてくるので、ＣＰＵ１がこれをＲＡＭ２上の所定領域に格納することで保護情報Ｐｒｏを取得する。
【００３４】
次のステップＳ２では、ＣＰＵ１は、外部記録Ｉ／Ｆ５の記録媒体接続状態をチェックし、各外部記録Ｉ／Ｆ５Ａ〜５Ｄに対応する記録媒体ＭＤが装着されているかどうかを調べ、保護情報Ｐｒｏが保護の必要を示している場合には、さらに、各外部記録Ｉ／Ｆ５Ａ〜５Ｄに装着されている記録媒体ＭＤに媒体ＩＤが付いているかどうかを調べて、コンテンツ記録先を決定する記録先決定処理が実行される。
【００３５】
なお、コンテンツ記録先となる記録媒体候補が複数抽出されたときには、ＲＯＭ３又はＨＤＤ４に記憶された優先度情報Ｐｒｉに従って記録先媒体ＭＤを自動的に選択するか、或いは、記録媒体候補を提示しユーザ操作に従って記録先媒体ＭＤを選択する方法で、記録先媒体ＭＤを決定することができる。
【００３６】
続くステップＳ３では、ステップＳ２における記録先決定処理の結果に基づいて、コンテンツの適切な記録先があるか否かを判定する。ここで、適切な記録先がないときは（Ｓ３→ＮＯ）、適切な記録先がないのでコンテンツのダウンロードを中止する旨をディスプレイ１６に表示した後、この記録処理を終了する。
【００３７】
一方、ステップＳ３で適切な記録先があると判定したときには（Ｓ３→ＹＥＳ）、ステップＳ４に進み、当該コンテンツファイルＣｆａをダウンロードしてＲＡＭ２上の所定領域に格納する。更に次のステップＳ５では、ステップＳ１で得られた保護情報Ｐｒｏはコンテンツを「保護すべき」ことを示しているか否かを判定する。
【００３８】
ここで、保護情報から「保護すべき」と判断したとき即ち指定されたコンテンツファイルが保護コンテンツＣｆａであるときには（Ｓ５→ＹＥＳ）、ステップＳ６〜Ｓ８に順次進んでいく。すなわち、ステップＳ６で、共通鍵を使って、ダウンロードしたコンテンツファイルＣｆａを復号化し、ステップＳ７では、記録媒体ＩＤを鍵として暗号化されたコンテンツファイルＣｆａ’を生成する。そして、ステップＳ８にて、生成された暗号化コンテンツファイルＣｆａ’を適切な記録媒体ＭＤに記録して、この記録処理を終了する。
【００３９】
一方、ステップＳ５で「保護すべき」コンテンツではない（保護不要）と判断されたとき即ち指定されたコンテンツファイルがフリーコンテンツＣｆｂであるときには（Ｓ５→ＮＯ）、直ちにステップＳ８に進み、ダウンロードされたコンテンツファイルＣｆｂをそのまま記録先媒体ＭＤに記録して、この記録処理を終了する。
【００４０】
このように、この発明の一実施例による情報記録システムでは、まず、サーバＳＶからの配信を希望する所望のコンテンツＣｆについて保護の要否を表わす保護情報Ｐｒｏをサーバから事前に取得する（Ｓ１）。次いで、保護情報Ｐｒｏが示す保護の要否に応じて、情報記録装置ＲＣに装着されている記録媒体、或いは、更に固有の媒体ＩＤを持つ記録媒体を調べ、コンテンツ記録先となる記録媒体ＭＤを決定する（Ｓ２）。この際、記録先が複数候補ある場合には、優先度情報Ｐｒｉが示す優先度順位に応じて記録先媒体ＭＤを自動的に選択するか、或いは、複数の記録先媒体候補をユーザに提示してその中から記録先記録媒体ＭＤを選択させる。そして、当該所望のコンテンツＣｆをサーバから取得すると（Ｓ４）、取得されたコンテンツＣｆが保護されるべき保護コンテンツＣｆａであるときは（Ｓ５→ＹＥＳ）、記録先媒体ＭＤに固有の媒体ＩＤで暗号化し（Ｓ７）、暗号化されたコンテンツＣｆａ’を記録先媒体ＭＤに記録する（Ｓ８）。また、取得されたコンテンツＣｆが保護を要しないフリーコンテンツＣｆｂであるときには（Ｓ５→ＮＯ）、そのまま、記録先媒体ＭＤに記録する。
【００４１】
〔記録先決定処理〔１〕（自動設定）〕
図３は、この発明の一実施例による記録先決定処理〔１〕（自動設定）を表わすフローチャートである。この記録先決定処理〔１〕は、図２（２）に示される記録処理の第２ステップＳ２で実行される記録先決定処理について、特に、コンテンツ記録先を優先度情報Ｐｒｉに従って自動的に設定する場合の処理内容を表わしている。
【００４２】
また、この処理フローにおいては、既に説明したように、情報記録装置ＲＣのＲＯＭ３（又はＨＤＤ４）に優先度情報Ｐｒｉが保持され、外部記録Ｉ／Ｆ５Ａ〜５Ｄとして、スマートメディアスロット、第１及び第２ＵＳＢ端子並びにＦＤＤが設けられ、優先度情報Ｐｒｉにより、例えば、（１）スマートメディア、（２）第１ＵＳＢメモリ、（３）第２ＵＳＢメモリ、（４）ＦＤの順で、記録先の優先度が高く設定されているものとする。
【００４３】
さて、図２（２）のコンテンツ記録処理におけるステップＳ１で保護情報Ｐｒｏを取得してステップＳ２に進み、図３の記録先決定処理〔１〕が開始すると、ＣＰＵ１は、第１ステップＡ１でＲＯＭ３（又はＨＤＤ４）から優先度情報Ｐｒｉを取得する。次のステップＡ２では、この優先度情報Ｐｒｉが示す優先順位に従って複数の外部記録Ｉ／Ｆ５Ａ〜５Ｄから１つの外部記録Ｉ／Ｆ５を選択してステップＡ３以下のチェックを順次行う。例えば、最初にステップＡ２に進んだときには第１外部記録Ｉ／Ｆ５Ａをチェックする。
【００４４】
まず、ステップＡ３では、選択された外部記録Ｉ／Ｆ５に記録媒体ＭＤが装着されているか否かを判定し、記録媒体ＭＤが装着されているときは（Ａ３→ＹＥＳ）、ステップＡ４に進み、ステップＳ１〔図２（２）〕で取得された保護情報Ｐｒｏを参照して、指定されたコンテンツが「保護すべき」コンテンツであるか否かを判断し、「保護すべき」コンテンツであるときは（Ａ４→ＹＥＳ）、ステップＡ５に進んで、さらに、当該外部記録Ｉ／Ｆ５に装着されている記録媒体ＭＤに媒体ＩＤが付いているかを判定する。
【００４５】
そして、ステップＡ４で「保護すべき」コンテンツでないと判断されたとき（Ａ４→ＮＯ）、或いは、ステップＡ５で記録媒体ＭＤに媒体ＩＤが付いていると判定されたときは（Ａ５→ＹＥＳ）、ステップＡ６に進み、現在選択されている外部記録Ｉ／Ｆ５に装着されている記録媒体ＭＤを記録先に決定した後、この記録先決定処理〔１〕を終了し、コンテンツ記録処理のステップＳ３〔図２（２）〕にリターンする。
【００４６】
例えば、「保護すべき」と判断された場合に、第１外部記録Ｉ／Ｆ５Ａのチェックでスマートメディアの装着を検出したときは、ステップＡ３〜Ａ５を経た後、ステップＡ６において、スマートメディアを記録先媒体ＭＤに決定する。
【００４７】
一方、現在選択されている外部記録Ｉ／Ｆ５に記録媒体ＭＤが装着されていないとき（Ａ３→ＮＯ）、或いは、記録媒体ＭＤに媒体ＩＤが付いていないときには（Ａ５→ＮＯ）、ステップＡ７に進んで、全ての外部記録Ｉ／Ｆ５Ａ〜５Ｄについて、記録媒体ＭＤの装着チェックや、保護すべきコンテンツに応じた記録媒体ＩＤの有無チェックを行ったか否かを判定する。ここで、全外部記録Ｉ／Ｆ５Ａ〜５Ｄのチェックを完了していないときは（Ａ７→ＮＯ）、ステップＡ２に戻る。
【００４８】
ステップＡ２に戻ると、優先度情報Ｐｒｉが示す次の優先順位に当る外部記録Ｉ／Ｆ５を選択し、上述したステップＡ３以下の処理を実行する。例えば、「保護すべき」場合に、ステップＡ２に２回目に進んで第２外部記録Ｉ／Ｆ５Ｂに第１ＵＳＢメモリが装着されていることが検出されたときは、ステップＡ３〜Ａ５を経た後、ステップＡ６にて、第１ＵＳＢメモリを記録先媒体ＭＤに決定して記録先決定処理〔１〕を終了する。しかしながら、第１及び第２外部記録Ｉ／Ｆ５Ａ，５Ｂに、対応する記録媒体（スマートメディア及び第１ＵＳＢメモリ）ＭＤが装着されていないときには、再びステップＡ７に進む。
【００４９】
従って、記録先が決定されておらず、しかも、全ての外部記録Ｉ／Ｆ５Ａ〜５Ｄをチェックしていない間は（Ａ７→ＮＯ）、ステップＡ２に戻って更に次の優先順位の外部記録Ｉ／Ｆ５を順次選択してステップＡ３以下の処理を繰り返し、ステップＡ６に進んで記録先媒体ＭＤを決定すれば、その段階で記録先決定処理〔１〕を終了する。また、全外部記録Ｉ／Ｆ５Ａ〜５Ｄのチェックを完了しても記録先が決定されないときは（Ａ７→ＹＥＳ）、ステップＡ８に進んで「記録先なし」の決定を行った後、この記録先決定処理〔１〕を終了し、コンテンツ記録処理のステップＳ３〔図２（２）〕にリターンする。
【００５０】
〔記録先決定処理〔２〕（ユーザ選択）〕
図４は、この発明の一実施例による記録先決定処理〔２〕（ユーザ選択）を表わすフローチャートである。この記録先決定処理〔２〕は、図２（２）に示される記録処理の第２ステップＳ２で実行される記録先決定処理について、特に、コンテンツ記録先をユーザ操作に従って決定する場合の処理内容を表わしており、この処理では、所定の条件を満足する記録媒体を記録先媒体リストＬｓにより記録先媒体候補として提示し、提示されたリストＬｓに対するユーザの選択操作に応じて最終的な記録先媒体ＭＤを決定する。
【００５１】
図２（２）のコンテンツ記録処理におけるステップＳ１で保護情報Ｐｒｏを取得してステップＳ２に進み、図４の記録先決定処理〔２〕が開始すると、ＣＰＵ１は、まず、第１ステップＵ１で、ＲＡＭ２上の記録先媒体リストＬｓを初期化し、次のステップＵ２にて、ＲＯＭ３（又はＨＤＤ４）から優先度情報Ｐｒｉを取得する。次いで、ステップＵ３において、取得された優先度情報Ｐｒｉが示す優先順位に従って複数の外部記録Ｉ／Ｆ５Ａ〜５Ｄから１つの外部記録Ｉ／Ｆ５を選択し、以下のステップＵ４〜Ｕ７で所定の条件を満足するかどうかを調べる。
【００５２】
まず、ステップＵ４では、選択された外部記録Ｉ／Ｆ５に記録媒体ＭＤが装着されているか否かを判定し、記録媒体ＭＤが装着されているときは（Ｕ４→ＹＥＳ）、ステップＵ５に進む。ステップＵ５では、ステップＳ１〔図２（２）〕で取得された保護情報を参照して、指定されたコンテンツが「保護すべき」コンテンツであるか否かを判断し、「保護すべき」コンテンツであるときは（Ｕ５→ＹＥＳ）、ステップＵ６に進んで、更に、当該外部記録Ｉ／Ｆ５に装着されている記録媒体ＭＤに媒体ＩＤが付いているかを判定する。
【００５３】
そして、ステップＵ５で「保護すべき」コンテンツでないと判断されたとき（Ｕ５→ＮＯ）、或いは、ステップＵ６で記録媒体ＭＤに媒体ＩＤが付いていると判定されたときは（Ｕ６→ＹＥＳ）、ステップＵ７に進む。ステップＵ７では、現在選択されている外部記録Ｉ／Ｆ５に装着されている記録媒体ＭＤを記録先媒体候補に決定して記録先媒体リストＬｓに追加する。
【００５４】
ステップＵ７の媒体候補決定処理の後、ステップＵ４で現在選択中の外部記録Ｉ／Ｆ５に記録媒体ＭＤが装着されていないと判定したとき（Ｕ４→ＮＯ）、或いは、ステップＵ６で記録媒体ＭＤに媒体ＩＤが付いていないと判定したときには（Ｕ６→ＮＯ）、ステップＵ８に進んで、全ての外部記録Ｉ／Ｆ５Ａ〜５Ｄについて、記録媒体ＭＤの装着チェックや記録媒体ＭＤの媒体ＩＤチェックを行ったか否かを判定する。
【００５５】
ここで、全ての外部記録Ｉ／Ｆ５Ａ〜５Ｄをチェックしていないときは（Ｕ８→ＮＯ）、ステップＵ３に戻って、優先度情報Ｐｒｉが示す次の優先順位に当る外部記録Ｉ／Ｆ５を順次選択し、全ての外部記録Ｉ／Ｆ５Ａ〜５Ｄをチェックしていない間は（Ｕ８→ＮＯ）、上述したステップＵ３〜Ｕ８の処理を繰り返し実行し、所定の条件を満足する記録媒体ＭＤを記録先媒体候補として抽出していく。
【００５６】
そして、全外部記録Ｉ／Ｆ５Ａ〜５Ｄのチェックを完了して記録先媒体候補を全て抽出すると（Ｕ８→ＹＥＳ）、ステップＵ９に進んで、抽出された全記録先媒体候補を表わす情報を列挙した記録先媒体リストＬｓをディスプレイ１６上に表示する。
【００５７】
次のステップＵ１０では、表示された記録先媒体リストＬｓに対するユーザ操作の入力を待機し、ユーザ操作に基づく入力があれば、この入力に対応する記録媒体ＭＤを記録先に決定する。このユーザ操作には、例えば、記録先媒体リストＬｓ上に表記された記録先媒体候補情報の１つを指示する選択操作や、このリストＬｓに併せて表示されたキャンセルボタンを指示するキャンセル操作などがあり、選択操作がなされた場合は指示された記録先媒体候補を記録媒体に決定し、キャンセル操作がなされた場合には「適当な記録先なし」とする処理が実行される。
【００５８】
そして、ステップＵ１０で記録先を決定すると、この記録先決定処理〔２〕を終了し、コンテンツ記録処理のステップＳ３〔図２（２）〕にリターンする。
【００５９】
〔種々の実施態様〕
以上、図面を参照しつつこの発明の好適な実施の一形態について説明したが、これは単なる一例であり、この発明は、発明の精神を逸脱しない範囲で種々の変更が可能である。例えば、実施例においては、保護を要する保護コンテンツＣｆａについても保護を要しないフリーコンテンツＣｆｂについても共通の優先度情報Ｐｒｉに従って記録先の決定或いは記録先候補の抽出を行うようにしたが、保護コンテンツＣｆａとフリーコンテンツＣｆｂとで別の優先度情報をもつようにしてもよい。
【００６０】
また、実施例では、保護情報Ｐｒｏの内容に拘わらず所定の手順に従って記録先媒体ＭＤを決定するようにしたが、保護情報Ｐｒｏが保護不要を示すフリーコンテンツＣｆｂについては、ＨＤＤ４の内蔵ＨＤを含む任意の記録媒体（例えば、記録先をユーザ設定）に記録することができるようにし、保護情報Ｐｒｏが「保護すべき」ことを示す保護コンテンツＣｆａの場合に限って、固有の媒体ＩＤが付いた記録先媒体ＭＤを決定するようにしてもよい。この場合も、「保護すべき」コンテンツの記録先になる媒体ＩＤ付き記録媒体候補が複数あるときには、記録先を優先度情報Ｐｒｉ或いはユーザ選択操作に従って決定するように構成することができる。
【００６１】
さらに、実施例では、内蔵ＨＤは固有の媒体ＩＤのついていない記録媒体とみなす想定をしているが、製造番号に相当するＩＤがＣＰＵから読み出せるような内蔵ＨＤについては、固有の媒体ＩＤがついた記録媒体として扱うようにしてもよい。
【図面の簡単な説明】
【００６２】
【図１】この発明の一実施例による情報記録システムのハードウエア構成ブロック図である。
【図２】この発明の一実施例による情報記録システムにおけるコンテンツ記録の概念図及び処理フローを表わす図である。
【図３】この発明の一実施例による記録先決定処理〔１〕（自動設定）を表わすフローチャートである。
【図４】この発明の一実施例による記録先決定処理〔２〕（ユーザ選択）を表わすフローチャートである。
【符号の説明】
【００６３】
ＳＶ，ＲＣ，ＰＬ  サーバ装置、情報記録装置及び情報再生装置、
Ｐｒｏ  保護情報、
Ｃｆ  保護コンテンツＣｆａ及びフリーコンテンツＣｆｂを含むコンテンツ、
Ｌｓ  記録先媒体リスト、
Ｐｒｉ  優先度情報、
５：５Ａ〜５Ｄ  各種の外部記録媒体に対応した外部記録インターフェース（Ｉ／Ｆ）、
ＭＤ  スマートメディア、ＵＳＢメモリ、ＦＤ等の外部記録媒体、
Ｃｆａ’  暗号化された保護コンテンツ。
【図１】
2006254244.tif 000003
【図２】
2006254244.tif 000004
【図３】
2006254244.tif 000005
【図４】
2006254244.tif 000006